(57)【要約】      （修正有）【課題】シート位置をロックすることができ、且つ良好な操作性・利便性及びロック安定性を有するチェアーシートスライドロック機構を提供する。【解決手段】チェアーシートスライドロック機構４はロッド体１３を有する台座１と、シート２と、背もたれ３を備えるチェアーに取り付けられ、位置決め管４１とスライドベース４２とを備える。位置決め管は位置決め部を有し、ロッド体に嵌着され、ロッド体に対して回転可能で軸方向には移動しない。スライドベースは接合部とスリーブ部４２２と係止部とを有し、片側にはシートの側方と連動可能に結合される接合部が設けられ、スリーブ部には位置決め管を嵌合可能なスリーブ孔が設けられ、スリーブ孔には係止部が設けられる。位置決め管を回転させて位置決め部と係止部を接合させないことでスライドベースを位置決め管に沿って移動でき、接合させることでスライドベースの位置をロックできる。【選択図】図１
0003223801.tif 000002
【実用新案登録請求の範囲】
【請求項１】
少なくとも１つのロッド体を有する台座と、シートと、背もたれとを備えるチェアーに取り付けられ、位置決め管とスライドベースとを備えるチェアーシートスライドロック機構であって、
前記位置決め管は、位置決め部を有し、前記ロッド体に嵌着され、前記ロッド体に対して回転可能且つ前記ロッド体の軸方向に対して移動することがなく、
前記スライドベースは、接合部と、スリーブ部と、スリーブ孔と、係止部とを有し、片側には前記シートの側方と連動可能に結合される前記接合部が設けられ、別の片側には、前記接合部に隣接して前記スリーブ部が設けられ、前記スリーブ部には、前記位置決め管を嵌合可能な前記スリーブ孔が設けられ、前記スリーブ孔には、前記係止部が設けられ、
前記位置決め管を前記ロッド体上で、前記ロッド体の周方向に回転させると、前記位置決め部と前記係止部が接合しない状態となって前記スライドベースを前記位置決め管に沿って移動させることができ、
前記位置決め管を前記ロッド体上で、前記ロッド体の前記周方向とは逆向きに回転させると、前記位置決め部と前記係止部が接合する状態となって前記スライドベースの位置をロックすることができることを特徴とするチェアーシートスライドロック機構。
【請求項２】
前記位置決め部は、前記位置決め管から外側へ突出し且つ前記位置決め管の軸方向に延在しており、
前記スライドベースの前記スリーブ孔の、前記位置決め管の前記位置決め部と対応する位置には、凹部が設けられることを特徴とする、請求項１に記載のチェアーシートスライドロック機構。
【請求項３】
前記係止部は、前記スリーブ孔内の前記凹部に隣接して対応する位置に、前記スリーブ孔の軸方向に延在するように設けられることを特徴とする、請求項２に記載のチェアーシートスライドロック機構。
【請求項４】
前記位置決め管の前記位置決め部は、前記位置決め管の軸方向に沿って設けられた第１凸歯群であり、
前記スライドベースの前記係止部は、前記第１凸歯群と噛合できる第２凸歯群を有していることを特徴とする、請求項３に記載のチェアーシートスライドロック機構。
【請求項５】
前記第１凸歯群は、複数の連続的に配列された第１凸歯からなり、
各前記第１凸歯の端部の方向は、前記位置決め管の軸方向に垂直な方向に対応しており、
前記第２凸歯群は、前記第１凸歯と噛合できる複数の連続的に配列された第２凸歯からなることを特徴とする、請求項４に記載のチェアーシートスライドロック機構。
【請求項６】
前記位置決め管の外側には、前記位置決め管の半径方向に突出したハンドルが設けられていることを特徴とする、請求項１に記載のチェアーシートスライドロック機構。
【考案の詳細な説明】
【技術分野】
【０００１】
本考案は、チェアーシートスライドロック機構に関する。
【背景技術】
【０００２】
着座とリクライニングの調整が可能な従来のリクライニングチェアは、台座上にロッド体を設置し、ロッド体にはロッド体上での移動動作が可能なロック機構を環装し、ロック機構はシートと接合することで、シートの移動を調整可能にし、且つシートの移動に対応してロック機構がロッド体に沿って移動できるようにされ、ロック機構を設定位置まで移動させてから、再びロック機構をロッド体に固定してシートの位置を決めるものが一般的である。通常は、シートが移動すると背もたれが連動し、通常の着座角度又はリクライニング角度に調整して使用することが可能である。
【０００３】
しかし、従来のロック機構の多くは、ノブでロッド体を締結する方式で固定するものである。ノブによる締結方式には、操作上の不便さや締結していない状態において位置決めが不確実であるという欠点がある。また、ノブを緩めて調整する過程においては、後傾角度の背もたれがぐらつく状態となるため、背もたれが受ける重力が大きくなって最大角度まで後傾しやすく、角度調整が不便であるという欠点もあった。
【０００４】
上述の欠点を改善するため、例えば特許文献１のロック装置は、クランプ座、位置決めブロック、調整ロッド、結合機構を備え、クランプ座とシートは連動する。また、チェアーロッドをスリーブ接続可能なスリーブ孔が設けられ、また相対して開いたり挟んだりすることができる第１・第２台座を備え、位置決めブロックはクランプ座上に設けられる。調整ロッドは結合機構によって位置決めブロックの片側に結合させて設けられ、且つ位置決めブロックと接合される位置決め部を備える。調整ロッドを回動させて第１・第２台座を開くことができ、且つシートがクランプ座を連動してロッド上をスライドさせることができる。また、所定位置まで移動したときに調整ロッドを回動させることができ、第１・第２台座がロッド体を挟むことができ、且つクランプ座とシートの位置をロックすることができる。
【０００５】
上述の特許文献１のロック装置の構造は、調整ロッドを回動させることで第１・第２台座が開く方式又はロッド体を挟む摩擦方式により、ロック動作を可能にしており、操作が簡便になる効果を有しているものの、シートとクランプの移動に応じて調整ロッドも移動してしまい、使用者が慣れた手の位置で調整ロッドを制御できないという事態が生じる。その上、クランプがやや前方に移動してリクライニング姿勢が形成された場合、使用者は起き上がらなければ、前方に移動した調整ロッドを手で握って調整することができないため、調整が不便であるという欠点があった。
【先行技術文献】
【特許文献】
【０００６】
【特許文献１】米国特許ＵＳ７７３５９２５号公報
【考案の概要】
【考案が解決しようとする課題】
【０００７】
本考案は、シート位置をロックすることができ、且つ良好な操作性・利便性及びロック安定性を有する構造を提供することを目的とする。
【課題を解決するための手段】
【０００８】
本考案は、少なくとも１つのロッド体を有する台座と、シートと、背もたれとを備えるチェアーに取り付けられ、位置決め管と、スライドベースとを備えるチェアーシートスライドロック機構である。
位置決め管は、位置決め部を有し、ロッド体上に嵌着され、ロッド体に対して回転可能且つロッド体の軸方向に対して移動することがない。
スライドベースは、接合部と、スリーブ部と、スリーブ孔と、係止部とを有し、片側には、シートの側方と連動可能に結合される接合部が設けられ、別の片側には、接合部に隣接してスリーブ部が設けられ、スリーブ部には、位置決め管を嵌合可能なスリーブ孔が設けられ、スリーブ孔には、係止部が設けられる。
位置決め管をロッド体上で、ロッド体の周方向に回転させると、位置決め部と係止部が接合しない状態となってスライドベースを位置決め管に沿って移動させることができる。
また、位置決め管をロッド体上で、ロッド体の周方向とは逆向きに回転させると、位置決め部と係止部が接合する状態となってスライドベースの位置をロックすることができる。
【０００９】
さらに、位置決め部は位置決め管から外側へ突出し且つ位置決め管の軸方向に延在している。
スライドベースのスリーブ孔の、位置決め管の位置決め部と対応する位置には、凹部が設けられている。
係止部はスリーブ孔内の凹部に隣接して対応する位置に、スリーブ孔の軸方向に延在するように設けられている。
【００１０】
本考案は、位置決め管の位置決め部をスライドベースの凹部に位置させることでシートの位置を調整することができ、また位置決め管を回転させることで位置決め部と係止部を摩擦接合によりロックすることができ、それにより操作が簡便になる効果を有するほか、本考案のシートは背もたれと枢設可能であり、且つシートの移動と同時に背もたれの角度を調整することができる。
【００１１】
さらに、位置決め管の位置決め部は、位置決め管の軸方向に沿って設けられた第１凸歯群である。
第１凸歯群は、複数の連続的に配列された第１凸歯からなる。
第１凸歯の端部の方向は、位置決め管の軸方向に垂直な方向に対応している。
スライドベースの係止部は、第１凸歯群と噛合できる第２凸歯群を有している。
第２凸歯群は、第１凸歯と噛合できる複数の連続的に配列された第２凸歯からなる。
【００１２】
さらに、位置決め管の外側には、位置決め管の半径方向に突出したハンドルが設けられている。
【００１３】
本考案は、ハンドルを制御して位置決め管を回転させ、位置決め部と係止部の接合時に第１凸歯群の第１凸歯と第２凸歯群の第２凸歯を噛合させることができる。この良好な摩擦係合方式は、位置決め機構を安定させるうえでより優れた効果を有しており、且つスライドベース、シートの位置及び背凭れの角度を確実にロックすることができる効果を有している。
【考案の効果】
【００１４】
本考案は、調整動作の際にスライドベースを移動させることができるが、ハンドルは固定位置から動かないため、使用者は慣れた操作でハンドルを握って容易に操作することができ、操作が便利になるという効果を有する。
【図面の簡単な説明】
【００１５】
【図１】本考案のチェアーの概略を示す斜視図である。
【図２】本考案のロック機構の分解斜視図である。
【図３】本考案のロック機構のロックされていない状態の概略を示す側面断面図である。
【図４】本考案のシート位置を調整するときの概略を示す側面図である。
【図５】本考案のロック機構のロック状態の概略を示す側面断面図である。
【図６】本考案のロック機構のロック状態の概略を示す平面断面図である。
【考案を実施するための形態】
【実施例】
【００１６】
図１〜図３を参照する。本考案は台座１、シート２、背もたれ３、ロック機構４を備え、台座１は相対して直立する２つの支持板１１を有し、２つの支持板１１の上方にはアームレストフレーム１２を有する。また支持板１１とアームレストフレーム１２の間にロッド体１３が設けられ、また背もたれ３は台座１及びシート２と枢設される。且つシート３はシート２に対応して移動し、後傾角度を変えることができる。
【００１７】
ロック機構４は少なくとも１つのロッド体１３上に設けられ、位置決め管４１、スライドベース４２を含む。位置決め管４１はロッド体１３上に被せられ、ロッド体１３に対して回転可能であり、且つロッド体１３の軸方向に対して移動することがない。また位置決め管４１の外側には軸方向に沿って延在する位置決め部４１１が突出されて設けられ、位置決め部４１１には軸方向に沿って第１凸歯群４１２が設けられる。第１凸歯群４１２は、複数の連続的に配列され且つ端部の方向が位置決め管４１の軸方向に垂直な方向とほぼ対応する第１凸歯４１３を備え、また位置決め管４１の外側には半径方向に突出したハンドル４１４が設けられている。
【００１８】
スライドベース４２は片側にシート２の側方と連動するように結合する接合部４２１を有し、接合部４２１は片側にスリーブ部４２２を有する。スリーブ部４２２には位置決め管４１を嵌合可能なスリーブ孔４２３が設けられ、スリーブ孔４２３には位置決め管４１の位置決め部４１１と対応する位置に凹部４２４が設けられる。またスリーブ孔４２３内の凹部４２４と対応する片側には、良好な滑り止め用材質で製造した係止部４２５が設けられ、係止部４２５は第１凸歯群４１２と噛合できる第２凸歯群４２６を有する。第２凸歯群４２６は、第１凸歯群４１２と噛合できる複数の第２凸歯４２７を有する。
【００１９】
図３、図４を参照する。本考案は、ハンドル４１４を制御して位置決め管４１の位置決め部４１１をスライドベース４２の凹部４２４と対応させると、スライドベース４２を位置決め管４１の軸方向に沿って移動させることができ、且つシート２の位置及び背もたれ３の後傾角度を自由に調整することができる。
【００２０】
図４〜図６を参照する。本考案は、調整後にハンドル４１４を制御して位置決め管４１をロッド体１３上で回転させ、且つ位置決め部４１１をスリーブ孔４２３の凹部４２４からずらして係止部４２５と接合させると、スライドベース４２の調整後の位置に対応する第１凸歯群４１２の第１凸歯４１３が第２凸歯群４２６の第２凸歯４２７と噛合させることができる。これにより、従来の摩擦係合方式よりも更に良好な位置決めの安定性を備えさせることができ、且つスライドベース４２、シート２の位置及び背凭れ３の角度を確実にロックする効果を有する。
【００２１】
本考案は、調整動作の際にスライドベース４２を異なる位置に移動させることができるが、ハンドル４１４はそのまま固定位置にあるため、使用者は慣れた操作でハンドル４１４を握って容易に操作することができる。また、本実施例のハンドル４１４は背もたれ３に比較的近い位置にあり、それにより背もたれ３が比較的大きな後傾角度で使用者にリクライニングを提供する場合でも、使用者はそのままの手の長さでハンドル４１４を握って操作することができ、操作が便利になる優れた効果を有する。
【００２２】
また本考案は、位置決め管に第１凸歯群を設けず且つスライドベースに第２凸歯群を設けない場合でも、位置決め部と係合部を摩擦方式でロックすることが可能であり、またこの構造でもハンドルの位置を固定して操作し易くする効果を持たせることが可能である。
【００２３】
本考案は、上述のように良好なロックの安定性及び操作が便利になる効果を有することを、具体的な実施例についての説明を記述したが、本考案の技術範囲を逸脱せずに多くの修正及び変更を行うことが可能であり、本考案の範囲は実用新案登録請求の範囲によって定められる。
【符号の説明】
【００２４】
１  ・・・台座
１１  ・・・支持板
１２  ・・・アームレストフレーム
１３  ・・・ロッド体
２  ・・・シート
３  ・・・背もたれ
４  ・・・ロック機構
４１  ・・・位置決め管
４１１  ・・・位置決め部
４１２  ・・・第１凸歯群
４１３  ・・・第１凸歯
４１４  ・・・ハンドル
４２  ・・・スライドベース
４２１  ・・・接合部
４２２  ・・・スリーブ部
４２３  ・・・スリーブ孔
４２４  ・・・凹部
４２５  ・・・係止部
４２６  ・・・第２凸歯群
４２７  ・・・第２凸歯
【図１】
0003223801.tif 000003
【図２】
0003223801.tif 000004
【図３】
0003223801.tif 000005
【図４】
0003223801.tif 000006
【図５】
0003223801.tif 000007
【図６】
0003223801.tif 000008